(57)【特許請求の範囲】
【請求項１】
原水中の汚泥を沈殿させると共に上澄水を流出させるための円筒状の沈殿槽（１）と、前記沈殿槽（１）の上端近傍の内壁との間に円周状の水路を形成するための越流堰（４）と、前記越流堰（４）を越えて前記水路に入った上澄水を排出するための流出管（５）と、前記沈殿槽（１）の中央部上方に設置され上端が前記越流堰（４）より高い円筒状のフィードウェル（３）と、前記フィードウェル（３）内に外部から原水を導入する流入管（２）と、前記沈殿槽（１）の中心軸を回転中心として回転し前記沈殿槽（１）の水面部を移動するスカム掻寄部材（７）と、前記フィードウェル（３）から前記沈殿槽（１）の内壁方向へと伸びる箱状の容器であって前記スカム掻寄部材（７）で掻き寄せられたスカムが落とし込まれるスカムボックス（８）とを具備し、前記スカムボックス（８）の底面の前記フィードウエル（３）側の端に水を流入させるための流入孔（８ａ）を設け、前記スカムボックス（８）の底面の前記沈殿槽（１）内壁側の端にはスカムを排出するためのスカム排出口（８ｂ）が開いており、前記スカムボックス（８）には前記流入口（８ａ）から水が流入し前記スカムボックス（８）内を水で満たしてスカムの固着を防ぎ、前記スカム排出口（８ｂ）がエアリフトポンプ（１１）に連結され、前記エアリフトポンプ（１１）が空気を導入することにより空気の浮力で水を排出し、それにより前記スカムボックス（８）のスカム排出口（８ｂ）からスカムを吸い出して排出し、前記エアリフトポンプ（１１）によって排出されたスカム及び水の量に対応する水が新たに前記流入口（８ａ）から流入することを特徴とする沈殿装置（１００）。
【請求項２】
請求項１に記載の沈殿装置（１００）において、前記スカムボックス（８）内のスカムを排出するためのエアリフトポンプ（１１，１２）と、前記スカム掻寄部材（７）がスカムをスカムボックス（８）に落とし込むタイミングを検出し前記エアリフトポンプ（１１，１２）を作動させる排出タイミング制御手段（１３，１４）とを具備したことを特徴とする沈殿装置（１００）。
【発明の詳細な説明】
【技術分野】
【０００１】
本発明は、沈殿装置に関し、さらに詳しくは、スカムがスカムボックスの内面に固着するのを抑制できると共に設備コストや運転コストの上昇も回避することが出来る沈殿装置に関する。
【背景技術】
【０００２】
従来、沈殿槽の水面部を浮遊するスカムを除去するために、水面部を移動するスカム掻寄部材でスカムを掻き寄せてスカムボックスに落とし込み、スカムボックスの傾斜面を滑らせてスカム排出口からスカムを排出する沈殿装置が知られている（例えば、特許文献１参照。）。
【特許文献１】特開２００３−７５４２９号公報
【発明の開示】
【発明が解決しようとする課題】
【０００３】
上記従来の沈殿装置では、スカムボックスに落とし込まれたスカムがスカムボックスの内面に固着し易いため、掃除が頻繁に必要になる問題点があった。
これに対して、スカムボックスの上方にシュートシャワーを設けてスカムボックスに水を落下させ、水でスカムを流すようにすれば、スカムの固着を抑制できる。
しかし、シュートシャワーを設けるために設備コストが上昇すると共に、多量の水を消費するため、運転コストも上昇する問題点がある。
そこで、本発明の目的は、スカムがスカムボックスの内面に固着するのを抑制できると共に設備コストや運転コストの上昇も回避することが出来る沈殿装置を提供することにある。
【課題を解決するための手段】
【０００４】
第１の観点では、本発明は、原水中の汚泥を沈殿させると共に上澄水を流出させるための沈殿槽（１）と、前記沈殿槽（１）の水面部を移動するスカム掻寄部材（７）と、前記スカム掻寄部材（７）で掻き寄せられたスカムが落とし込まれるスカムボックス（８）とを具備し、前記沈殿槽（１）の水面より下になる前記スカムボックス（８）の部分に前記沈殿槽（１）の水が前記スカムボックス（８）内に流れ込む流入孔（８ａ）を設けたことを特徴とする沈殿装置（１００）を提供する。
上記第１の観点による沈殿装置（１００）では、沈殿槽（１）の水が流入孔（８ａ）からスカムボックス（８）内に流れ込むため、スカムボックス（８）に落とし込まれたスカムがスカムボックス（８）の内面に固着するのを抑制できる。また、スカムボックス（８）の上方にシュートシャワーを設けて水を落下させる必要がないため、設備コストや運転コストの上昇を回避できる。
【０００５】
第２の観点では、本発明は、前記第１の観点による沈殿装置（１００）において、前記スカムボックス（８）内のスカムを排出するためのエアリフトポンプ（１１，１２）と、前記スカム掻寄部材（７）がスカムをスカムボックス（８）に落とし込むタイミングを検出し前記エアリフトポンプ（１１，１２）を作動させる排出タイミング制御手段（１３，１４）とを具備したことを特徴とする沈殿装置（１００）を提供する。
上記第２の観点による沈殿装置（１００）では、所望のタイミングでスカムを排出できるため、例えばスカムが多い時期はスカム掻寄部材（７）がスカムをスカムボックス（８）に１回落とし込む毎に排出し、スカムが少ない時期はスカム掻寄部材（７）がスカムをスカムボックス（８）に２回落とし込む毎に排出するなどの制御が可能となり、運転コストを抑制できる。
【発明の効果】
【０００６】
本発明の沈殿装置によれば、スカムがスカムボックスの内面に固着するのを抑制できると共に設備コストや運転コストの上昇も回避することが出来る。
【発明を実施するための最良の形態】
【０００７】
以下、図に示す実施の形態により本発明をさらに詳細に説明する。なお、これにより本発明が限定されるものではない。
【実施例１】
【０００８】
図１は、実施例１に係る沈殿装置１００の縦断面図である。また、図２は、上面図である。
沈殿槽１は、円筒状の水槽である。沈殿槽１の底部は、堆積した汚泥を抜き取り易いようにすり鉢状になっている。
流入管２は、外部からフィードウェル３の下部に連結されており、フィードウェル３内に外部から原水を導入する。
フィードウェル３は、沈殿槽１の中央部上方に設置された円筒で、上端が越流堰４の上端より高くなっている。
【０００９】
原水中の汚泥は、沈降して沈殿槽１の底部に堆積する。
上澄水は、越流堰４を越えて、越流堰４を取り巻く水路に入り、流出管５から排出される。
スカムは、沈殿槽１の水面部を浮遊する。
【００１０】
汚泥掻寄部材６は、回転軸９およびモータ１０で回転され、沈殿槽１の底部に堆積した汚泥を沈殿槽１の底部中央の集泥ピットに落とし込む。集泥ピットに落とし込まれた汚泥は、排泥弁より排出される。
【００１１】
スカム掻寄部材７は、回転軸９およびモータ１０で回転され、沈殿槽１の水面部に浮遊するスカムをスカムボックス８に落とし込む。
【００１２】
スカムボックス８は、スカム掻寄部材７が掻き寄せたスカムを排出するための箱状の容器であり、フィードウェル３と越流堰４の間に設けられる。長さは、フィードウェル３から越流堰４までの長さを持つ全幅タイプでもよいし、それよりも短い部分タイプ(図示省略)でもよい。
スカムボックス８の上端は水面上に出ている。
スカムボックス８の底面は、越流堰４の上端より下にあり、フィードウェル３側の端から沈殿槽内壁側の端まで傾斜面になっている。
【００１３】
スカムボックス８の底面のフィードウェル３側の端には、水を流入させるための面積３００ｍｍ2〜７００ｍｍ2の流入孔８ａが開いている。
流入孔８ａは、その面積や深さで流入する水量が変わる。水量が多いとスカムボックス８の洗浄効果が上がるが、沈殿槽１の水の消費量も上がってしまうので、適切な水量に調節できるように、流入孔８ａの面積や深さが調節できるのが好ましい。流入孔８ａを手動式の簡易角落しゲートとすれば、水量の調整が容易となる。
流入孔８ａは１個でも複数個でもよい。
【００１４】
スカムボックス８の底面の沈殿槽内壁側の端には、スカムを排出するためのスカム排出口８ｂが開いている。スカム排出口８ｂは、エアリフトポンプ１１に連結されている。
【００１５】
エアリフトポンプ１１は、電動弁１２を開いて空気を導入することにより、空気の浮力で水を排出し、それによりスカムボックス８のスカム排出口８ｂからスカムを吸い出して排出する。
【００１６】
排出タイミング制御器１３は、距離センサとシーケンサとを組み合わせたものである。スカム掻寄部材７に設けたセンサピース１４の位置を距離センサで検知し、シーケンサを介して電動弁１２の動作を制御する。これにより、所望のタイミングでスカムを排出できる。例えばスカムが多い時期はスカム掻寄部材７がスカムをスカムボックス８に１回落とし込む毎に一定時間だけ電動弁１２を開き、スカムが少ない時期はスカム掻寄部材７がスカムをスカムボックス８に２回落とし込む毎に一定時間だけ電動弁１２を開くなどの制御が可能となる。
【００１７】
実施例１の沈殿装置１００によれば、次の効果が得られる。
（１）スカムボックス８には流入孔８ａから水が流入し、スカムボックス８内は水で満たされるため、スカムのスカムボックス８への固着を防ぐことが出来る。
（２）エアリフトポンプ１１によって排出されたスカムおよび水の量に対応する水が新たに流入孔８ａから流入してスカムボックス８を洗浄するため、スカムのスカムボックス８への固着を防ぐことが出来る。
【実施例２】
【００１８】
タイマーにより電動弁１２の作動すなわちエアリフトポンプ１１の作動を制御してもよい。
【産業上の利用可能性】
【００１９】
本発明の沈殿装置は、例えば工業用水や飲料用水のための処理に利用できる。
【図面の簡単な説明】
【００２０】
【図１】実施例１に係る沈殿装置の構成を示す縦断面図である。
【図２】実施例１に係る沈殿装置の上面図である。
【符号の説明】
【００２１】
１                            沈殿槽
２                            流入管
３                            フィードウェル
４                            越流堰
５                            流出管
７                            スカム掻寄部材
８                            スカムボックス
８ａ                          流入孔
８ｂ                          スカム排出口
９                            回転軸
１０                          モータ
１１                          エアリフトポンプ
１２                          電動弁
１３                          排出タイミング制御器
１４                          センサピース
１００                        沈殿装置
【図１】
0004718353.tif 000002
【図２】
0004718353.tif 000003